(57)【要約】      （修正有）【課題】契約内容に合致しない決済端末が店舗に設置されてしまう設置ミスを防止することができる決済端末を提供する。【解決手段】決済端末１は、端末に割り当てられた端末判別ＩＤを入力するＩＤ入力部（操作部１３）と、端末管理サーバに接続して端末識別情報を取得する識別情報取得部及び端末判別ＩＤと端末識別情報の認証を行う認証部を有する制御部１００と、認証部による認証に失敗したときに、エラー情報を表示する表示部１２と、を備える。【選択図】図２
2020123051.tif 000002
【特許請求の範囲】
【請求項１】
端末に割り当てられた端末判別ＩＤを入力するＩＤ入力部と、
端末管理サーバに接続して端末識別情報を取得する識別情報取得部と、
前記端末判別ＩＤと前記端末識別情報の認証を行う認証部と、
前記認証部による認証に失敗したときに、エラー情報を表示する表示部と、
を備える決済端末。
【請求項２】
支払額の入力を受付ける支払額受付部と、
決済カードに格納されたカード情報を読み取るカード読取部と、
を備える請求項１に記載の決済端末。
【請求項３】
コンピュータを、
端末に割り当てられた端末判別ＩＤをＩＤ入力部から受け付けて記憶部に記憶させる記憶制御手段と、
端末管理サーバに接続して端末識別情報を取得する識別情報取得手段と、
前記端末判別ＩＤと前記端末識別情報の認証を行う認証手段と、
前記認証手段による認証に失敗したときに、エラー情報を表示部に表示させる表示制御手段と、
して機能させるためのプログラム。
【発明の詳細な説明】
【技術分野】
【０００１】
本発明の実施形態は、決済端末およびプログラムに関する。
【背景技術】
【０００２】
クレジットカードや電子マネーによる決済は、決済端末を用いて処理が行われる。クレジットカード等の加盟店の店舗に決済端末を初期導入するときは、利用サービスにより加盟店やカード会社との契約申込みを行う必要がある。そして、決済端末を店舗に据付け、端末識別情報の登録、使用回線の設定、契約情報の登録などの操作を行う。このとき、契約の申込内容を基づいて作成された端末設置依頼書に従って、決済端末の初期設定操作を行う。
【０００３】
ところが、端末設置業者の管理上の不備により、契約した機器とは異なる決済端末が店舗に設置されてしまう設置ミスが起こることがある。
【先行技術文献】
【特許文献】
【０００４】
【特許文献１】特開２０１１−１４１６７９号公報
【発明の概要】
【発明が解決しようとする課題】
【０００５】
本発明が解決しようとする課題は、契約内容に合致しない決済端末が店舗に設置されてしまう設置ミスを防止できる決済端末およびプログラムを提供することである。
【課題を解決するための手段】
【０００６】
実施形態の決済端末は、端末に割り当てられた端末判別ＩＤを入力するＩＤ入力部と、端末管理サーバに接続して端末識別情報を取得する識別情報取得部と、前記端末判別ＩＤと前記端末識別情報の認証を行う認証部と、前記認証部による認証に失敗したときに、エラー情報を表示する表示部と、を備える。
【０００７】
実施形態の決済端末は、支払額の入力を受付ける支払額受付部と、決済カードに格納されたカード情報を読み取るカード読取部と、を備える。
【０００８】
実施形態のプログラムは、コンピュータを、端末に割り当てられた端末判別ＩＤをＩＤ入力部から受け付けて記憶部に記憶させる記憶制御手段と、端末管理サーバに接続して端末識別情報を取得する識別情報取得手段と、前記端末判別ＩＤと前記端末識別情報の認証を行う認証手段と、前記認証手段による認証に失敗したときに、エラー情報を表示部に表示させる表示制御手段と、して機能させる。
【図面の簡単な説明】
【０００９】
【図１】一実施形態の決済端末１の構成例を示す斜視図である。
【図２】決済端末１のハードウェア構成を示すブロック図である。
【図３】決済端末１の機能構成を示す機能ブロック図である。
【図４】電子マネーの初期設定処理を示すフローチャートである。
【発明を実施するための形態】
【００１０】
以下、実施形態の決済端末を、図面を参照して説明する。各図において、同一構成については同一の符号を付す。
【００１１】
図１は、実施形態の決済端末１の構成例を示す斜視図である。
決済端末１は、本体１０の側部に電源スイッチ１６を備える。また、決済端末１は、本体１０の上部に、本体１０に対して開閉可能な上面パネル１１を備える。決済端末１は、上面パネル１１が開かれると本体１０の内部にロール状のレシート用紙をセットすることができる。また、この上面パネル１１は、操作部１３であるタッチパネルが設けられた表示部１２を備える。表示部１２は、例えば、液晶ディスプレイ等であり、操作オペレーション等を表示する。
【００１２】
決済端末１は、本体１０の側面上部に、決済用の決済カードから当該決済カードに格納されている情報を読み取るカード読取部１５を備える。
【００１３】
決済端末１は、本体１０の内部に、上述のレシート用紙に決済に関する情報や売上レポート等を印字する印字部５７（図２参照）を備える。印字後のレシート用紙は、本体１０と上面パネル１１との間に設けられているレシート発行口１４から発行される。
【００１４】
図２は、決済端末１のハードウェア構成を示すブロック図である。
決済端末１は、各部を制御するための制御部１００を備える。制御部（コンピュータ）１００は、各部を集中的に制御するＣＰＵ（Central Processing Unit）５１と、ＲＯＭ（Read Only Memory）５２と、ＲＡＭ（Random Access Memory）５３とを備える。ＣＰＵ５１は、アドレスバス、データバス等のバスライン５５を介して、ＲＯＭ５２と、ＲＡＭ５３と接続する。
【００１５】
制御部１００のＣＰＵ５１は、ＲＯＭ５２や記憶部５４に記憶されたプログラムを、ＲＡＭ５３に展開する。そして、ＣＰＵ５１は、ＲＡＭ５３に展開したプログラムに従って動作することで決済端末１を制御する。また、制御部１００は、バスライン５５を介して、記憶部５４と、コントローラ５６と、外部Ｉ／Ｆ（Interface）５８，５９，６０，６１と接続する。
【００１６】
記憶部５４は、電源を切っても記憶情報が保持されるフラッシュメモリ等の不揮発性メモリである。また、記憶部５４は、制御プログラム５４１を含むプログラム等を記憶する。制御プログラム５４１は、決済端末１の決済処理時に用いられる決済用プログラムなどである。
【００１７】
コントローラ５６は、表示部１２と、操作部１３と、印字部５７と、カード読取部１５と接続する。コントローラ５６は、制御部１００からの指令に基づいて各種制御を実行する。表示部１２は、決済端末１を操作するキーの画像を含む各種情報を表示する。例えば、キーとは、後述する変更候補キーなどである。操作部１３（ＩＤ入力部、支払額受付部）は、表示部１２上に設けられたタッチパネルであり、表示部１２に表示されたキーに対応する位置のタッチパネルをタッチすることで、各種のキー操作を受付ける。
【００１８】
印字部５７は、プラテンローラと印字ヘッドとを備える。プラテンローラは、本体１０の内部に収納されたレシート用紙を回転することで引き出し、搬送する。印字ヘッドは、例えばサーマルヘッドである。印字ヘッドは、プラテンローラが搬送したレシート用紙に、客が購入した商品の明細等を印字する。カード読取部１５は、磁気的に記憶されているカード情報を読み取る。
【００１９】
外部Ｉ／Ｆ５８は、有線または無線の通信回線（例えば、インターネットやＬＡＮ（Local Area Network）等）を介して端末管理サーバやセンターサーバ等に接続する。
端末管理サーバは、各種電子マネーブランドに対応して、契約情報や決済情報を管理する。
カード会社と加盟店との契約により、加盟店で使用される決済端末１とその外部機器（電子マネー端末２、ピンパッド端末３、ＰＯＳ端末５）、利用できるクレジットカード、デビットカード、電子マネー等が予め決められている。これらの情報は、外部の端末管理サーバに記憶されて管理される。
端末管理サーバでは、後述する端末判別ＩＤに関連付けて、決済端末１と電子マネー端末２、ピンパッド端末３等のシリアル番号を記憶、管理される。また、端末判別ＩＤに関連付けて、加盟店で利用できるクレジットカード、デビットカード、電子マネー等の決済種別情報が記憶、管理される。
これらの端末判別ＩＤに関連付けられた情報は、端末設置依頼書に印字されて出力される。
【００２０】
外部Ｉ／Ｆ５９，６０，６１は、外部機器と接続する。
外部Ｉ／Ｆ５９は、ＰＯＳ端末５との接続に用いる。
外部Ｉ／Ｆ６０は、電子マネー端末２との接続に用いる。電子マネー端末２は、非接触ＩＣカードからカード情報を読み取る。
外部Ｉ／Ｆ６１は、ピンパッド端末３との接続に用いる。ピンパッド端末３は、クレジットカードやデビットカードなどからカード情報を読み取る。
決済端末１は、各外部Ｉ／Ｆ５９，６０，６１を介して、電子マネー端末２やピンパッド端末３、ＰＯＳ端末５やと各種情報を送受信する。
決済端末１は、電子マネー端末２、ピンパッド端末３またはカード読取部１５を介して、決済カードからカード情報を読み取り、決済に用いる。
【００２１】
決済カードとは、クレジットカードや、デビットカードや、非接触ＩＣカードによる決済に用いられるカードである。決済カードは、決済をすることができる情報として、決済カードを識別する識別情報などを記憶した記憶媒体を有する。決済端末１は、この識別情報を読み取ることで、顧客を特定し、決済をすることができる。
【００２２】
記憶部５４は、決済情報テーブルＴや端末判別ＩＤ、端末識別情報等を記憶する。
決済情報は、例えば、入力情報として、決済識別情報、カードブランド、商品情報および金額を記憶する。決済識別情報は、決済を識別可能な識別情報である。カードブランドは、決済に使用する決済カードのブランドである。商品情報は、購入対象の商品や、サービスなどを識別可能な識別情報である。金額は、購入対象の商品や、サービスなどの金額（支払額）である。
【００２３】
端末判別ＩＤは、契約情報により端末ごとに割当てられるＩＤ（identification）であり、番号や記号で構成される。端末判別ＩＤは、端末管理サーバにおいて端末識別情報と紐付けられて生成されて、端末管理サーバに保存（記憶）される。端末識別情報は、例えば決済端末１と電子マネー端末２のシリアル番号である。
また、端末判別ＩＤは、端末設置依頼書に印字される。
【００２４】
次に、実施形態の決済端末１の制御について説明する。
図３は、決済端末１の機能構成を示す機能ブロック図である。
決済端末１の制御部１００は、記憶部５４に記憶された制御プログラム５４１等のプログラムに従い動作することで、入力制御部１０１、記憶制御部１０２、識別情報取得部１０３、認証部１０４、表示制御部１０５として機能する。
【００２５】
入力制御部１０１は、表示部１２上に設けられたタッチパネルである操作部１３を介して、各種のキー操作の入力を受け付ける。これにより、入力制御部１０１は、一取引に係る決済処理に関する決済情報の入力を受け付ける。さらに詳しくは、入力制御部１０１は、決済カードのカードブランドを選択する入力や、商品情報の入力などを受け付ける。
特に、入力制御部１０１は、初期設定時に、各決済端末１に個別に割り当てられた端末判別ＩＤを受け付ける。
【００２６】
記憶制御手段である記憶制御部１０２は、入力制御部１０１が受け付けた決済処理に関する決済情報を決済情報テーブルＴの決済情報に記憶させる。また、記憶制御部１０２は、初期設定工程で入力された複数の情報を記憶部５４に記憶させる。特に、記憶制御部１０２は、各決済端末１に個別に割り当てられた端末判別ＩＤや端末識別情報を記憶部５４に記憶する。
【００２７】
識別情報取得手段である識別情報取得部１０３は、外部Ｉ／Ｆ５８からインターネットを介して端末管理サーバに接続して、端末管理サーバから決済端末１や電子マネー端末２の端末識別情報を取得する。
認証手段である認証部１０４は、記憶部５４に記憶された端末識別情報と端末管理サーバから取得した端末識別情報を比較する認証処理を行う。
表示制御手段である表示制御部１０５は、表示部１２に各種情報を表示する。特に、表示制御部１０５は、認証部１０４による認証に失敗したときに、エラー情報を表示部１２に表示する。
【００２８】
次に、決済端末１を店舗に初期導入するときの初期設定処理について説明する。具体的には、決済端末１において電子マネーの初期設定する処理について説明する。
図４は、電子マネーの初期設定処理を示すフローチャートである。
【００２９】
まず、使用回線の設定であるソフトＶＰＮ機能設定を行う（ステップＳ１）。ソフトＶＰＮ機能設定は、通信の暗号処理の設定である。
また、端末識別情報の登録、契約情報の登録も行う。操作部１３から端末識別情報等を入力設定する。端末識別情報等は、記憶部５４に記憶される。
【００３０】
次に、導入する電子マネーブランドに対応するアプリケーションソフトを登録する（ステップＳ２）。例えば、交通系電子マネー、流通系Ａ電子マネー、流通系Ｂ電子マネーに対応するアプリケーションソフトを必要に応じて登録する。
【００３１】
次に、端末判別ＩＤを取得する（ステップＳ３）。
具体的には、設置作業者は、端末設置依頼書に印字された端末判別ＩＤを操作部１３から入力する。続いて、決済端末１は、インターネット等を介して端末管理サーバに接続する。
決済端末１と端末管理サーバが接続すると、端末管理サーバは、決済端末１から入手した端末判別ＩＤを用いて、端末管理サーバ内に記憶されている決済端末１に関する契約情報を検索する。決済端末１に関する契約情報は、端末管理サーバにおいて、端末判別ＩＤに紐づけられて記憶されている。決済端末１に関する契約情報には、端末識別情報と決済種別情報が含まれる。端末管理サーバは、決済端末１や電子マネー端末２の端末識別情報と決済種別情報を決済端末１に向けて出力する。
【００３２】
決済端末１は、端末識別ＩＤ、端末識別情報、決済種別情報を端末管理サーバから取得して、記憶部５４に記憶する。決済端末１の記憶部５４には、以下の情報（一例）が記憶される。
【表１】
2020123051.tif 000003
【００３３】
決済端末１は、端末管理サーバから取得して記憶部５４に記憶した端末識別情報と、操作部１３から入力されて記憶部５４に記憶した端末識別情報を比較する。具体的には、決済端末１の端末識別情報、電子マネー端末２の端末識別情報、ピンパッド端末３の端末識別情報が、それぞれ一致するか否かを判定する。
そして、全ての端末識別情報が一致する場合は、認証成功と判定する。
一方、１つでも不一致の場合は、認証失敗と判定し、エラー表示（ステップＳ１４）の後に、初期設定処理を終了する。
【００３４】
端末識別情報の判定に成功すると、電子マネーアプリケーションソフトが導入されているか否かを判定する（ステップＳ４）。
電子マネーアプリケーションソフトが導入されている場合は、電子マネーの認証処理（ステップＳ５〜Ｓ１３）に進む。
一方、電子マネーアプリケーションソフトが導入されていない場合は、エラー表示（ステップＳ１４）をして、初期設定処理を終了する。
【００３５】
電子マネーの認証処理では、まず、認証を行う電子マネーブランドを決定する（ステップＳ５〜Ｓ７）。例えばシェアが高い電子マネーブランドを優先して認証する。電子マネーブランドの認証優先度が予め決定されている。
ステップＳ５において、端末判別ＩＤに優先度Ｎｏ．１の電子マネーブランド（交通系電子マネー）が含まれる場合はステップＳ８に移行し、含まれない場合はステップＳ６に移行する。
ステップＳ６において、端末判別ＩＤに優先度Ｎｏ．２の電子マネーブランド（流通系Ａ電子マネー）が含まれる場合はステップＳ１０に移行し、含まれない場合はステップＳ７に移行する。
ステップＳ７において、端末判別ＩＤに優先度Ｎｏ．３の電子マネーブランド（流通系Ｂ電子マネー）含まれる場合はステップＳ１２へ移行し、含まれない場合はエラー表示（ステップＳ１４）をして、初期設定処理を終了する。
【００３６】
ステップＳ８，Ｓ１０，Ｓ１２では、それぞれの電子マネーブランドに対応する電子マネーアプリケーションソフトが導入されているか否かを判定する。
それぞれの電子マネーブランドに対応する電子マネーアプリケーションソフトが導入されている場合は、電子マネーブランドの認証（ステップＳ９，Ｓ１１，Ｓ１３）を行う。
それぞれの電子マネーに対応する電子マネーアプリケーションソフトが導入されていない場合は、エラー表示（ステップＳ１４）をして、初期設定処理を終了する。
【００３７】
そして、ステップＳ９，Ｓ１１，Ｓ１３において、端末管理サーバから取得した端末識別情報と、操作部１３に記憶されている端末識別情報とを比較する。決済端末１は、２つの端末識別情報が一致する場合は認証成功と判定し、不一致の場合は認証失敗と判定する。
そして、ステップＳ９，Ｓ１１，Ｓ１３において、電子マネーブランドの認証に成功した場合は、初期設定処理を終了する。一方、電子マネーの認証に失敗した場合は、エラー表示（ステップＳ１４）をして、初期設定処理を終了する。
【００３８】
以上説明したように、店舗に初期導入するときの初期設定処理において、制御部１００（認証部１０４）は、記憶部５４に記憶された端末識別情報と端末管理サーバから取得した端末識別情報を比較する認証処理を行う。
このため、決済端末１を店舗に設置した後に、電子マネー端末２を用いて電子マネーの決済処理を行うときに、はじめて決済が不能であることが判明するという事態を回避できる。つまり、契約内容に合致しない決済端末１が店舗に設置されてしまう設置ミスを防止できる。
【００３９】
上述した実施形態において、ソフトＶＰＮを用いる場合について説明したが、これに限らない。専用回線を用いてもよい。
【００４０】
上述した実施形態において、決済カードとして電子マネーを例に挙げて説明したが、これに限らない。決済カードは、クレジットカードであってもよい。また。電子マネーとクレジットカードを同時に導入、認証する場合であってもよい。
【００４１】
端末判別ＩＤが契約情報により端末ごとに割当てられるＩＤ、端末識別情報が決済端末等のシリアル番号である場合について説明したが、これに限らない。端末判別ＩＤや端末識別情報として、他の識別情報を用いてもよい。
【００４２】
認証部１０４による認証に失敗したときに、エラー情報を表示部１２に表示する場合に限らず、他の方向により報知してもよい。また、認証部１０４による認証に成功したときに、成功情報を表示部１２に表示してもよい。
【００４３】
本発明の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４４】
１  決済端末
１２  表示部
１３  操作部（ＩＤ入力部、支払額受付部）
１５  カード読取部
５４  記憶部
５７  印字部
１００  制御部（コンピュータ）
１０１  入力制御部
１０２  記憶制御部
１０３  識別情報取得部
１０４  認証部
１０５  表示制御部
５４１  制御プログラム
【図１】
2020123051.tif 000004
【図２】
2020123051.tif 000005
【図３】
2020123051.tif 000006
【図４】
2020123051.tif 000007